(57)【要約】  ポールの把手（１）は、ストラップ（２）を有して配設され、該ストラップ（２）は、ポールの把手にストラップを係着するために、取付凹部内にループ状に収容される。ストラップは、ポールの把手に配設される取付凹部（４）から延出し、ユーザの手首周りに配設される手首ループを形成する。手首ループは、手首ループの大きさを規制し、手首ループの選択された大きさを維持する調節係止手段を備える。ストラップ（２）の一部は、手首ループの大きさが調節される際に、及び調節係止手段の位置がポールの把手に対して変更される際に、取付凹部（４）を通り移動可能にされる。また、本発明は、このポールの把手を有して配設されるスキーポール及び手首ループの大きさを調節する方法も含む。【選択図】図１ｃ及び図２ｂ
2015530165.tif 000002
【特許請求の範囲】
【請求項１】
ストラップ（２）を有して配設されるポールの把手（１）であり、該ストラップ（２）は、ポールの把手（１）にストラップを係着するために、取付凹部内に、ループ状に収容され、ストラップは、ポールの把手（１）に配設される取付凹部（４）から延出し、ユーザの手首周りに配設される手首ループを形成し、手首ループが、該手首ループの大きさを規制し、手首ループの選択された大きさを維持する調節係止手段を備えるポールの把手（１）であって、ストラップ（２）の一部は、手首ループの大きさが調節される際に、及び調節係止手段の位置がポールの把手に対して変更される際に、取付凹部（４）を通り移動可能にされる、ポールの把手（１）。
【請求項２】
取付凹部（４）の第１部分は、取付凹部（４）の第２部分と平行に配設されること、及び取付凹部に設けられた支持面が、ストラップ（２）を取付凹部（４）の第１部分から取付凹部（４）の第２部分へと指向させ、それによりストラップをループ状に配設させることを特徴とする、請求項１に記載のポールの把手（１）。
【請求項３】
着脱可能な係着要素（５）は、支持面を備え、該係着要素（５）は、取付凹部（４）の第１部分が、係着要素（５）と取付凹部（４）の第１内壁との間に設けられ、取付凹部（４）の第２部分が、係着要素（５）と取付凹部（４）の第２内壁との間に設けられるように、取付凹部（４）内に配設されることを特徴とする、請求項２に記載のポールの把手（１）。
【請求項４】
手首ループは、調節係止手段によってストラップ（２）の２端部を結合することによって、形成されることを特徴とする、請求項１乃至３のいずれか一項に記載のポールの把手（１）。
【請求項５】
調節係止手段は、着脱可能なバックル、スナップ結合部又はマジックテープ（登録商標）を含むことを特徴とする、請求項１乃至４のいずれか一項に記載のポールの把手（１）。
【請求項６】
請求項１乃至５の一項によるポールの把手（１）を有して配設されることを特徴とする、スキーポール（１０）。
【請求項７】
ストラップ（２）によって提供される手首ループの大きさを調節する方法であり、該ストラップは、ストラップをポールの把手に係着するのに、ループ状にして取付凹部に収容され、ストラップは、取付凹部（４）から延出して、ユーザの手首周りに配設される手首ループを形成し、手首ループが、手首ループの大きさを規制して、手首ループの選択された大きさを維持する調節係止手段を備える方法であって：
調節係止手段を手首ループ（２）に結合し、ストラップの一部が取付凹部を貫通可能にして、ユーザの手首に合うように、手首ループの大きさを規制すること；及び／又は、
ポールの把手に対して調節係止手段を位置決めし、ストラップの一部が取付凹部を貫通可能にすること、
を含む方法。
【発明の詳細な説明】
【技術分野】
【０００１】
本発明は、ストラップが係着され、手首ループが形成されるポールの把手、更には、手首ループの大きさを調節する方法に関する。
【０００２】
本ポールの把手は、ポール、最も好ましくは、子供又は大人用スキーポール、ノルディックウォーキング用ポール、クロスカントリースキー用ポール、又はハイキング用ストックに使用されることができる。
【背景技術】
【０００３】
ポールの把手にストラップを係着し、且つストラップが、ユーザの手の大きさに合うよう調節可能にするのに、様々な方法がある。
【０００４】
特許文献１では、スキー用ストックの手首ストラップのための係着手段を開示しており、該手段は、ストックの把手のノブの空洞内に配置されている。係着手段は、ストックのノブから分離できる取外可能なユニットであり、２つの可塑性要素から成り、該要素間に、上記手首ストラップは、所望通りに固着されることができる。可塑性要素は、個別の要素であり、該要素内には、手首ストラップの両端部が、成形によって埋設されている。片方の要素は、空洞壁にある固着用溝に、手首ストラップ固着点が上記要素の上面になる姿勢で、外形に沿って係止して、固着される。もう片方の可塑性要素は、空洞壁と第１可塑性要素との間にある下すぼまりの空隙内に、他方の手首ストラップ固着体が、第１要素の下面に来る姿勢で、差し込まれる。可塑性要素間にある手首ストラップ部分は、可塑性要素間を通される。可塑性要素の隣接する面は、凹凸になっている。上記手首ストラップを真直ぐ伸ばすと、可塑性要素の上記凹凸面は、同じ方向に面する。係着手段は、連続するストラップ材を、可塑性要素の隣接する型穴を通過させて製造され、その後ストラップは、可塑性要素の間で切断される。
【０００５】
特許文献２では、把手に係着されるストラップの有効長を調節する可能性を有するスキーポールの把手について開示しており、該把手は、ストラップが通される貫通穴を、該把手上部に有し、一要素は、空洞の下向きに先細になる部分の壁に対してストラップをクランプ保持するために、空洞内に押し込まれるよう適合される。この要素は、制御ノブに配置され、該ノブは、把手の先端に取付けられ、ストラップを係着するのに把手と相対的に押下げられる、及びストラップを解除するのに把手と相対的に押上げられるが、該ノブは、ストラップのための貫通口及び開口部を有する。中国実用新案第特許文献３では、グラブ把手、手首ストラップ、棒体、及びストック先端のスリーブを含むノルディックウォーキング用ストックについて開示しており；グラブ把手は、棒体の上端部に配置され、手首ストラップと結合され；ストック先端のスリーブは、棒体の下端部に付けられ、金属製の先端部が、ストック先端のスリーブの底部に配設され；上向きに開口する空洞体が、グラブ把手の先端に配設され；開口部の裏側にあるグラブ把手と回転可能に結合された楔形のストッパが、空洞体内に配設され；手首ストラップは、空洞体の下部の裏側でＹ字型貫通穴に挿入され、楔形ストッパによって押圧されて固定される。ノルディックウォーキング用ストックのグラブ把手は、楔形ストッパを介して手首ストラップと結合され、手首ストラップは、グラブ把手を貫通した後に任意の長さに固定又は緩められ、それにより手首ストラップは、結合強度を確実にするという条件下で、フレキシブルな調節機能を持つようにする。
【先行技術文献】
【特許文献】
【０００６】
【特許文献１】米国特許第４，４１６，０３６号
【特許文献２】国際特許第ＷＯ０１／３４２５５Ａ１号
【特許文献３】中国実用新案第２０１，８３１，０７６号
【発明の概要】
【発明が解決しようとする課題】
【０００７】
本発明の目的は、ポールの把手に結合されるストラップの手首ループを規制するために、簡単で確固たる解決方法を提供することである。
【課題を解決するための手段】
【０００８】
この目的は、独立請求項で提示される本発明で達成される。従属請求項では、本発明の実施形態を提示する。
【図面の簡単な説明】
【０００９】
【図１ａ】本発明によるポールの把手の第１実施形態を示している。
【図１ｂ】本発明によるポールの把手の第１実施形態を示している。
【図１ｃ】本発明によるポールの把手の第１実施形態を示している。
【図１ｄ】本発明によるポールの把手の第１実施形態を示している。
【図２ａ】本発明によるポールの把手の第２実施形態を示している。
【図２ｂ】本発明によるポールの把手の第２実施形態を示している。
【図２ｃ】本発明によるポールの把手の第２実施形態を示している。
【図２ｄ】本発明によるポールの把手の第２実施形態を示している。
【図２ｅ】本発明によるポールの把手の第２実施形態を示している。
【発明を実施するための形態】
【００１０】
請求項１に提示された発明によると、ポールの把手は、ストラップを有して配設される。ストラップは、ポールの把手に配設された取付凹部にループ状に配設されて、ポールの把手に係着される。ストラップは、取付凹部から延出し、ユーザ手首の周りに配設されるように手首ループを形成する。手首ループは、手首ループの大きさを規制し、手首ループの選択された大きさを維持する調節係止手段を備える。ストラップは、ストラップの一部が、手首ループの大きさが調節される際に、及び調節係止手段が、プール把手に対して位置が変更される際に、取付凹部を通り移動できるように、取付凹部内に配設される。手首ループの大きさは、まず、調節係止手段によって変えられ又は調節され、次に調節係止手段の位置が変更されることもある。調節係止手段は、手首ループを事前に変える／調節することなく、位置を変更されることもある。
【００１１】
一実施形態では、取付凹部の第１部分は、取付凹部の第２部分と平行に配設される。取付凹部にある支持面は、取付凹部の第１部分から取付凹部の第２部分へとストラップを指向させ、それによりストラップをループ状に配設する。
【００１２】
取付凹部は、着脱可能な係着要素を備えてもよく、係着要素は、支持面を備えてもよい。その場合、係着要素は、取付凹部の第１部分が、係着要素と取付凹部の第１内壁との間に設けられ、取付凹部の第２部分が、係着要素と取付凹部の第２内壁との間に設けられるようにして、取付凹部に配設されてもよい。着脱可能な係着要素は、取付凹部と組付け易く、また取付凹部から取外し易くするように設けられてもよい。ユーザは、簡単に、ツールの必要なく、単に自分の手だけで組付け／取外しを行うことができる。
【００１３】
手首ループは、調節係止手段によってストラップの２端部を係合して、形成されてもよい。調節係止手段は、着脱可能なバックル、スナップ係合部又はマジックテープ（登録商標）、又は手首ループを規制し、選択された大きさを維持するのに適当な他の手段を含んでもよい。
【００１４】
本発明は、上述したようなポールの把手を有して配設されたスキーポールも含む。当業者には分かるように、ポールの把手は、ノルディックウォーキング用ポール、子供又は／及び大人用スキーポールに、又はハイキング用ストックに装着されるようにアレンジされてもよい。
【００１５】
また、本発明は、ストラップによって提供される手首ループの大きさを調節する方法も含み、該ストラップは、ストラップをポールの把手に係着するのに、ループ状にして取付凹部に収容される。ストラップは、取付凹部から延出して、ユーザの手首周りに配設される手首ループを形成する。手首ループは、手首ループの大きさを規制して、手首ループの選択された大きさを維持する調節係止手段を備える。本方法は、以下のステップを更に含む：
−調節係止手段を手首ループに結合し、ストラップの一部が取付凹部を、連続的に、又は手首ループの大きさを事前に規制することなく、貫通可能にして、ユーザの手首に合うように、手首ループの大きさを規制すること；
−ポールの把手に対して調節係止手段を位置決めし、ストラップの一部が取付凹部を貫通可能にすること。
【００１６】
以下では、実施形態の一例について、図面を参照して説明する：
図ｌａ乃至図１ｄは、本発明によるポールの把手の第１の実施形態を示している。
図２ａ乃至図２ｅは、本発明によるポールの把手の第２実施形態を示している。
【００１７】
図１ａ乃至図１ｄは、本発明によるストラップ２を有するポールの把手１を示している。ポールの把手１は、スキーポール１０に嵌合するための穴１１を配設して示されている。ストラップ２は、取付凹部４内に収容されて示されている楔形要素等の係着要素５によってポールの把手１に取付けられる。係着要素５は、例えば嵌合結合又はスナップ結合によって、係着要素の側部５ａ、５ｂに沿って、ポールの把手１に結合される（取付凹部の内壁に取付けられた係着要素を示す図１ｄを参照）。係着要素５は、係着要素５の２ガイド面５ｃ、５ｄと取付凹部４の第１及び第２内壁４ａ、４ｂとの間に空隙を有して取付凹部４に嵌入され、該取付凹部４の大きさは、ストラップが、内壁４ａ、４ｂとガイド面５ｃ、５ｄとの間を通過可能なものにする。第１内壁４ａとガイド面５ｃは、取付凹部４の第１部分を画成し、一方第２内壁４ｂとガイド面５ｄは、取付凹部４の第２部分を、取付凹部４の第１部分と平行関係で、画成する。ストラップ２は、係着要素５の支持面５ｅ上を通過し、該支持面５ｅは、取付凹部４の第１部分から取付凹部４の第２部分にストラップ２を指向させる。  
【００１８】
取付凹部に配置される係着要素５を使用して、ストラップ２をポールの把手に係着する単純で耐久性のあるこの解決方法は、全く道具を必要としない。ストラップ２及び係着要素５を取付凹部４に挿入し、係着要素５をポールの把手に結合し、その際確実にストラップ２をガイド面５ｃ、５ｄと接触させて配置することにより、ストラップは、ポールの把手１に設置される。
【００１９】
図１ａ乃至図１ｄで示されたような方法で、ストラップがポールの把手に取付けられると、離間したガイド面５ｃ、５ｄ及び突出した先端部５ｅを有する係着要素５の形状により、ストラップを、ユーザの手が手首ループ内に入り易い大きな開口１０を有する手首ループを取付凹部の外に形成させられる。ストラップ２をポールの把手１に取付けるための係着要素５を簡単に設置できることで、ストラップ２の交換が更に容易になり、図１ａ乃至図１ｄで示されたようなストラップ２を別の種類のストラップと交換し易くなる。
【００２０】
ストラップは、調節係止手段６を有して配設される。調節係止手段６は、ストラップ２の２端部を結合し、クランプ、バックル、又は２端部を互いに対して調節し、選択された位置に両端部を保持できる他の装置を含んでもよい。手首ループ１０の大きさを規制中に、ストラップは、取付凹部４を通過する。手首ループ１０の大きさに関する規制が行われた後、又は使用中の他の時点で、ユーザが、例えば、ポールを使用する時に、ユーザの手に当たらないように、調節係止手段６の位置を変更する必要があると判断するかも知れない。その場合、調節係止手段６は、ストラップの一部を取付凹部４を通り移動させて、取付凹部４の外側にある任意の位置に移動されてもよい。
【００２１】
図２ａ乃至図２ｅは、ストラップ２（図面で破線で示された）が、係着要素５を使用せずにポールの把手１に係着される、ポールの把手１の実施形態を示している。取付凹部４は、２つの離隔した開口部６、７を有するＵ字型経路として配設される。ストラップ２は、開口部６、７の一方から入り、取付凹部４の第１部分に通り、ストラップを支持面８へと指向させるが、支持面８は、例えばリブによって提供されるポールの把手１の上部に配設されて示されている。支持面８では、ストラップ２を、取付凹部４の第１部分と平行に配設された取付凹部４の第２部分内へと指向させ、確実に、取付凹部４でストラップをループ形状に配設させる。ストラップは、ポールの把手１でストラップ２を保持するために十分な支持を提供する支持面と接触して配設される。ストラップ２は、開口部６を通り、取付凹部４の第２部分を出る。ポールの把手１は、スキーポール（図示せず）にポールの把手１を装着するための穴を有して示されている。
【００２２】
離間して開口部６、７を配設することで、手首ループを、確実にユーザの手が手首ループに入り易い構成とすることができる。図２ａ乃至図２ｅのポールの把手は、子供用スキーポールで使用されるのに適するが、前述したような他の種類のポール又はストックで採用されてもよい。ストラップは、図１ａ乃至図１ｄと関連して説明したような配設と同様な、調節係止手段６を備える。図２ａ乃至図２ｅと関連して示し、説明したような取付凹部４の配設によって、ストラップは、手首ループの大きさの調節中や、手首ループの大きさを調節した後に調節係止手段６の位置を変更する際に、取付凹部４を通り自由に移動できる。
【符号の説明】
【００２３】
１        ポールの把手
２        ストラップ
４        取付凹部
４ａ      第１内壁
４ｂ      第２内壁
５        係着要素
５ａ、５ｂ  側部
５ｃ、５ｄ  ガイド面
５ｅ      支持面
６        調節係止手段
６、７    開口部
８        支持面
１０      手首ループ
１１      穴
【図１ａ】
2015530165.tif 000003
【図１ｂ】
2015530165.tif 000004
【図１ｃ−１ｄ】
2015530165.tif 000005
【図２ａ】
2015530165.tif 000006
【図２ｂ】
2015530165.tif 000007
【図２ｃ】
2015530165.tif 000008
【図２ｄ】
2015530165.tif 000009
【図２ｅ】
2015530165.tif 000010
【国際調査報告】
2015530165.tif 000011
2015530165.tif 000012
2015530165.tif 000013